(57)【要約】      （修正有）【課題】電気コネクタとパネルとの間の防水効果を改善することができる電気接続装置を提供する。【解決手段】電気接続装置は電気コネクタ１と封止部材２とを備える。電気コネクタは当接面１１１ａを有する絶縁ハウジング１１を備える。封止部材は当接面とパネルとの間に当接するように適合される。封止部材は環状体２１と２つの第１の環状リブと複数の第２の環状リブ２３と複数の位置決め支柱とを備える。環状体は第１の表面２１２と第２の表面と第１の表面及び第２の表面を貫通する複数の貫通穴２１４とを有する。第１の環状リブは第１の表面及び第２の表面からそれぞれ突出し、かつパネル及び当接面にそれぞれ当接する。複数の第２の環状リブは第１の表面及び第２の表面からそれぞれ突出しそれぞれ複数の貫通穴を取り囲み、かつパネル及び当接面に当接する。封止部材及び絶縁ハウジングは位置決め支柱によって互いに対して固定される。【選択図】図３
2020113535.tif 000002
【特許請求の範囲】
【請求項１】
複数の締結具によってパネルに固定されるように適合されている電気接続装置であって、前記パネルが、装着穴、及び該装着穴の周りに複数の貫通穴を有し、これにより、それぞれ、前記複数の締結具が内部を通過することを可能にし、
前記電気接続装置が、
電気コネクタであって、
基部及び嵌合部を有する絶縁ハウジングであって、前記基部が、当接面を有し、前記嵌合部が、前記当接面から突出し、前記基部が、前記当接面に形成されており、かつ前記嵌合部の周りに位置決めされている、位置決め穴と、前記当接面に形成されており、かつ前記パネルの複数の貫通穴とそれぞれ位置合わせされ、かつそれに対応して前記複数の締結具がその内部に挿入することを可能にするように適合された複数の締結穴と、を更に有する、絶縁ハウジングと、
該絶縁ハウジングに提供されている複数の端子と、を備える、電気コネクタと、
前記絶縁ハウジングに提供されており、かつ前記当接面と前記パネルとの間に当接するように適合されている、封止部材であって、該封止部材が、
環状体であって、前記嵌合部が内部を通過することを可能にする開口部と、前記パネルに面するように適合された第１の表面と、前記当接面に面する第２の表面と、前記第１の表面及び前記第２の表面を貫通する複数の貫通穴と、を有し、該複数の貫通穴は、前記パネルの複数の貫通穴及び前記絶縁ハウジングの複数の締結穴と位置合わせするようにそれぞれ適合され、これにより、それに対応して前記複数の締結具が内部を通過することを可能にする、環状体と、
前記第１の表面及び前記第２の表面からそれぞれ突出し、その中で前記開口部を取り囲む２つの第１の環状リブであって、前記第１の表面に位置決めされた前記第１の環状リブが、前記パネルに当接するように適合され、前記第２の表面に位置決めされて、前記当接面に当接するために使用される、２つの第１の環状リブと、
前記第１の表面及び前記第２の表面からそれぞれ突出する複数の第２の環状リブであって、それぞれ前記複数の貫通穴を取り囲み、前記パネルに当接するように適合されている前記第１の表面に位置決めされ、かつそれぞれ前記複数の貫通穴を取り囲み、かつ前記当接面に当接するために使用される前記第２の表面に位置決めされる、複数の第２の環状リブと、
前記第２の表面から突出する位置決め支柱であって、前記位置決め穴に固定させるために使用される拡大されている自由端部を有する、位置決め支柱と、を備える、封止部材と、を備える、電気接続装置。
【請求項２】
各端子が、前記絶縁ハウジングの基部に埋め込まれた固定部と、該固定部から延在して前記嵌合部に露出している接触部と、を有する、請求項１に記載の電気接続装置。
【請求項３】
前記第１の環状リブが、前記複数の第２の環状リブと接続されている、請求項１に記載の電気接続装置。
【請求項４】
前記第１の環状リブが、前記環状体の周囲に隣接しており、前記第２の表面に位置決めされた前記第１の環状リブが、前記位置決め支柱を取り囲む、請求項１に記載の電気接続装置。
【請求項５】
前記複数の締結穴が、止まり穴である、請求項１に記載の電気接続装置。
【請求項６】
前記基部が、前記当接面とは反対である後面を更に有し、前記位置決め支柱の自由端部が、前記位置決め穴の内部を通過して、前記後面に当接し、前記封止部材が、前記第２の表面に提供されており、かつ前記位置決め支柱を取り囲む、第３の環状リブを更に備える、請求項１に記載の電気接続装置。
【請求項７】
前記位置決め穴が、止まり穴であり、前記基部が、前記位置決め穴を画定する穴壁を更に有し、前記位置決め支柱の自由端部が、前記穴壁に緊密に装嵌されている、請求項１に記載の電気接続装置。
【請求項８】
前記第１の環状リブが、前記複数の第２の環状リブと高さが同じである、請求項１に記載の電気接続装置。
【請求項９】
前記封止部材が、前記第１の表面に提供されている複数の支持リブを更に有し、該複数の支持リブが、前記第１の環状リブ及び前記複数の第２の環状リブと高さが同じである、請求項１に記載の電気接続装置。
【請求項１０】
前記複数の締結穴が、ねじ付き穴であり、前記複数の締結具が、それぞれ前記複数の締結穴と協働するねじ付き係止部材である、請求項１に記載の電気接続装置。
【請求項１１】
前記位置決め支柱が、マッシュルーム形状である、請求項１に記載の電気接続装置。
【請求項１２】
前記基部の位置決め穴が、複数の個数で提供されており、前記複数の位置決め穴が、前記嵌合部の周りに分配されており、前記封止部材の位置決め支柱が、複数の個数で提供されており、前記複数の位置決め支柱が、前記複数の位置決め穴とそれぞれ協働する、請求項１に記載の電気接続装置。
【請求項１３】
前記基部が、前記当接面とは反対である後面を更に有し、前記複数の位置決め支柱の自由端部が、それぞれ、前記複数の位置決め穴の内部を通過して、前記後面に当接し、前記封止部材が、前記第２の表面に提供されており、かつ前記複数の位置決め支柱をそれぞれ取り囲む、複数の第３の環状リブを更に備える、請求項１２に記載の電気接続装置。
【発明の詳細な説明】
【技術分野】
【０００１】
本開示は、電気接続装置に関し、具体的には、防水電気接続装置に関する。
【背景技術】
【０００２】
米国特許第４，８２０，１８１号は、雄コネクタ、雌コネクタ、及び封止部材を備える既存の防水電気コネクタを開示している。雄コネクタは、外壁と、外壁の周囲に接続する防水壁と、を備える。外壁及び防水壁は、共に空洞を画定する。封止部材は、空洞に提供される。雌コネクタは、空洞内に挿入し、封止部材に対して押し付けることができる中空の柱状部を含む。加えて、米国特許第６，９５３，３５７（Ｂ２）号は、既存のコネクタ及び封止部材を開示している。コネクタは、端子を収容する複数の円筒部と、複数の円筒部及び２つの受容穴を取り囲む陥凹溝と、を備える。封止部材は、陥凹溝に提供され、受容穴に対応して装着された２つの固定部を有する。
【０００３】
既存の電気コネクタは、通常、パネル又はハウジングに接続し、パネル又はハウジングの装着穴と位置合わせして、別の電気コネクタを対応してそれらに嵌合することを可能にする。しかしながら、既存の電気コネクタとパネルとの間には、良好な防水効果がない。
【発明の概要】
【０００４】
したがって、本開示の目的の１つは、防水効果を改善することができる電気接続装置を提供することである。
【０００５】
したがって、いくつかの実施形態では、本開示は、複数の締結具によってパネルに固定されるように適合された電気接続装置を提供し、パネルは、装着穴と、装着穴の周りに複数の貫通穴と、を有し、それぞれ複数の締結具がその内部を通過することを可能にする。電気接続装置は、電気コネクタと、封止部材と、を備える。電気コネクタは、絶縁ハウジングと、複数の端子と、を備える。絶縁ハウジングは、基部と、嵌合部と、を有する。基部は、当接面を有し、嵌合部は、当接面から突出し、かつ基部が、当接面に形成され、嵌合部の周りに位置決めされている位置決め穴と、当接面に形成され、パネルの複数の貫通穴とそれぞれ位置合わせされ、かつそれに対応して複数の締結具がその内部に挿入することを可能にするように適合された複数の締結穴と、を更に有する。複数の端子は、絶縁ハウジングに提供される。封止部材は、絶縁ハウジングに提供され、当接面とパネルとの間に当接するように適合される。封止部材は、環状体と、２つの第１の環状リブと、複数の第２の環状リブと、位置決め支柱と、を備える。環状体は、嵌合部が内部を通過することを可能にする開口部と、パネルに面するように適合された第１の表面と、当接面に面する第２の表面と、第１の表面及び第２の表面を貫通する複数の貫通穴と、を有し、複数の貫通穴が、パネルの複数の貫通穴及び絶縁ハウジングの複数の締結穴と位置合わせするようにそれぞれ適合され、これにより、それに対応して複数の締結具が内部を通過することを可能にする。第１の環状リブは、第１の表面及び第２の表面からそれぞれ突出し、その内部で開口部を取り囲んでおり、第１の表面に位置決めされた第１の環状リブは、パネルに当接するように適合され、第２の表面に位置決めされた第１の環状リブは、当接面に当接するために使用される。複数の第２の環状リブは、第１の表面及び第２の表面からそれぞれ突出しており、第１の表面に位置決めされた第２の環状リブは、それぞれ複数の貫通穴を取り囲み、パネルに当接するように適合されており、第２の表面に位置決めされた第２の環状リブは、それぞれ複数の貫通穴を取り囲み、当接面に当接するために使用される。位置決め支柱は、第２の表面から突出しており、かつ位置決め穴に固定させるために使用される拡大された自由端部を有する。
【０００６】
いくつかの実施形態では、各端子は、絶縁ハウジングの基部に埋め込まれた固定部と、固定部から延在し、嵌合部に露出する接触部と、を有する。
【０００７】
いくつかの実施形態では、第１の環状リブは、複数の第２の環状リブと接続される。
【０００８】
いくつかの実施形態では、第１の環状リブは、環状体の周囲に隣接し、第２の表面に位置決めされた第１の環状リブは、位置決め支柱を取り囲む。
【０００９】
いくつかの実施形態では、複数の締結穴は、止まり穴である。
【００１０】
いくつかの実施形態では、基部は、当接面とは反対である後面を更に有し、位置決め支柱の自由端部は、位置決め穴の内部を通過して、後面に当接し、封止部材は、第２の表面に提供され、位置決め支柱を取り囲む第３の環状リブを更に備える。
【００１１】
いくつかの実施形態では、位置決め穴は、止まり穴であり、基部は、位置決め穴を画定する穴壁を更に有し、位置決め支柱の自由端部は、穴壁に緊密に装嵌される。
【００１２】
いくつかの実施形態では、第１の環状リブは、複数の第２の環状リブと高さが同じである。
【００１３】
いくつかの実施形態では、封止部材は、第１の表面に提供された複数の支持リブを更に有し、複数の支持リブは、第１の環状リブ及び複数の第２の環状リブと高さが同じである。
【００１４】
いくつかの実施形態では、複数の締結穴は、ねじ付き穴であり、複数の締結具は、複数の締結穴とそれぞれ協働するねじ付き係止部材である。
【００１５】
いくつかの実施形態では、位置決め支柱は、マッシュルーム形状（傘状キノコ形状）である。
【００１６】
いくつかの実施形態では、基部の位置決め穴は、複数の数で提供され、複数の位置決め穴は、嵌合部の周りに分配され、封止部材の位置決め支柱は、複数の数で提供され、複数の位置決め支柱は、それぞれ複数の位置決め穴と協働する。
【００１７】
いくつかの実施形態では、基部は、当接面とは反対である後面を更に有し、複数の位置決め支柱の自由端部は、それぞれ複数の位置決め穴の内部を通過して、後面に当接し、封止部材は、第２の表面に提供され、複数の位置決め支柱をそれぞれ取り囲んでいる複数の第３の環状リブを更に備える。
【００１８】
本開示は、少なくとも以下の有益な効果を有する。第１の環状リブは、周囲に沿って封止部材の環状体の２つの対向する面に形成され、それに対応して、パネル及び電気コネクタの当接面に当接し、これにより、パネルの装着穴を介して電子装置内に水分が滲出することを防止する。更に、第２の環状リブは、環状体の貫通穴を取り囲み、このため、パネルの貫通穴を介して電子装置内に水分が滲出することを更に防止することができる。
【図面の簡単な説明】
【００１９】
本開示の他の特徴及び効果は、添付の図面に示される実施形態から明らかになるであろう。
【００２０】
【図１】本開示の電気接続装置の第１の実施形態の斜視図である。
【図２】図１の別の角度から観た図である。
【図３】第１の実施形態の分解斜視図である。
【図４】図３の別の角度から観た図である。
【図５】第１の実施形態の背面図である。
【図６】図５のＶＩ−ＶＩ矢視断面図である。
【図７】図５のＶＩＩ−ＶＩＩ矢視断面図である。
【図８】本開示の電気接続装置の第２の実施形態の斜視図である。
【図９】図８の別の角度から観た図である。
【図１０】第２の実施形態の分解斜視図である。
【図１１】図１０の別の角度から観た図である。
【図１２】第２の実施形態の背面図である。
【図１３】図１２のＸＩＩＩ−ＸＩＩＩ矢視断面図である。
【図１４】図１２のＸＩＶ−ＸＩＶ矢視断面図である。
【符号の説明】
【００２１】
参照番号は、以下のように表されている。
【００２２】
１００  電気接続装置
１  電気コネクタ
１１  絶縁ハウジング
１１１  基部
１１１ａ  当接面
１１１ｂ  後面
１１１ｃ  位置決め穴
１１１ｄ  締結穴
１１１ｅ  穴壁
１１２  嵌合部
１１２ａ  嵌合空洞
１１３  ガイド溝
１１４  周壁部
１１５  収容溝
１２  端子
１２１  固定部
１２２  接触部
１２３  テール部
２  封止部材
２１  環状体
２１１  開口部
２１１ａ  挿入開口部
２１１ｂ  ガイド開口部
２１２  第１の表面
２１３  第２の表面
２１４  貫通穴
２２  位置決め支柱
２２１  自由端部
２３  第１の環状リブ
２４  第２の環状リブ
２５  第３の環状リブ
２６  支持リブ
８  締結具
９  パネル
９１  装着穴
９２  貫通穴
【発明を実施するための形態】
【００２３】
本開示を詳細に説明する前に、以下の説明において類似の構成要素は同じ参照番号で示されることに留意されたい。
【００２４】
図１〜図３を参照すると、本開示の電気接続装置１００の第１の実施形態は、締結具８によって電子装置（図示せず）のパネル９に固定されるように適合される。本実施形態では、締結具８は、ボルト、ねじ、又は他のねじ付き係止部材であってもよい。パネル９は、例えば、電子装置の筐体の一部分又は制御パネルの一部分であってもよく、パネル９は、装着穴９１及び装着穴９１の周りに４つの貫通穴９２を有する。装着穴９１により、電気接続装置１００がその内部を通過することを可能にし、これにより、電気接続装置１００の一部分が電子装置１００の外部に露出するようになる。複数の貫通穴９２により、複数の締結具８が、それに対応して、電気接続装置１００の内部を通過して、電気接続装置１００に係止されることを可能にし、これにより、電気接続装置１００がパネル９に係止されるようになる。
【００２５】
図３〜図４を参照すると、電気接続装置１００は、電気コネクタ１及び封止部材２を備える。この実施形態では、封止部材２は収納され、予め電気コネクタ１に固定され、次いで、電気コネクタ１がパネル９に組み立てられている。これにより、封止部材２は、パネル９と電気コネクタ１との間に密接して当接される。
【００２６】
電気コネクタ１は、絶縁ハウジング１１及び複数の端子１２を備える。実施形態では、絶縁ハウジング１１は、インサート成形技術によって複数の端子１２を被覆して、端子１２と絶縁ハウジング１１との間の間隙から水分が電子装置内に滲出することを防止する。具体的には、絶縁ハウジング１１は、基部１１１、嵌合部１１２、２つのガイド部１１３、及び周壁部１１４を有する。
【００２７】
基部１１１は、実質的に矩形の当接面１１１ａ、当接面１１１に対向する後面１１１ｂ、当接面１１１ａ及び後面１１１ｂを貫通する４つの位置決め穴１１１ｃ、及び当接面１１１ａからそれぞれ内側に陥凹している４つの締結穴１１１ｄを有する。この実施形態では、複数の締結穴１１１ｄは、ねじ付き穴であり、複数の締結穴１１１ｄは、基部１１１を貫通しない止まり穴である。
【００２８】
この実施形態では、嵌合部１１２は、実質的に四角形の円筒形状であり、当接面１１１ａの中心から前方に突出し、前方に面する開口部を有する嵌合空洞１１２ａを画定する。嵌合部１１２は、パネル９の装着穴９１を通過して、別の電気コネクタ（図示せず）がそれに対応して嵌合することを可能にする。
【００２９】
ガイド部１１３は、嵌合部１１２の反対側の表面にそれぞれ形成され、当接面１１１ａに接続されており、実施形態では、ガイド部１１３は、それぞれ、嵌合部１１２の２つの長辺に位置決めされる。接続されたガイド部１１３及び嵌合部１１２によって形成された断面の輪郭は、装着穴９１の輪郭と一致し、これにより、電気コネクタ１をパネル９に装着したときに、ガイド部１１３及び嵌合部１１２ａが共に装着穴９１の内部を通過し、これによってガイドされ、位置合わせされる効果がもたらされるようになる。
【００３０】
周壁部１１４は、基部１１１の周囲から前方に延在し、周壁部１１４及び基部１１１の当接面１１１ａは、共に、その中で封止部材２を収容することを可能にする収容溝１１５を画定する。
【００３１】
図５及び図６を共に参照すると、複数の端子１２は、上下方向に４列に配置され、各列の端子１２は、絶縁ハウジング１１内に部分的に埋め込まれている。具体的には、各端子１２は、絶縁ハウジング１１の基部１１１に埋め込まれている固定部１２１と、固定部１２１ａの端から前方に延在し、絶縁ハウジング１１に埋め込まれず、嵌合空洞１１２ａに露出している接触部１２２と、固定部１２１ａの端から後方に延在し、基部１１１から外側に延在しているテール部１２３と、を有する。複数の端子１２が基部１１１内に埋め込まれていることにより、嵌合空洞１１２ａ内に水分が存在するときに、それに対応して嵌合空洞１１２ａ内に位置決めされている基部１１１により、水分が電子装置内に滲出することを防止することができる。
【００３２】
引き続き図３及び図４を参照すると、封止部材２は、絶縁ハウジング１１の収容溝１１５に提供され、当接面１１１ａとパネル９との間に当接している。本実施形態では、封止部材２の材料は、ゴムであり、封止部材２は、環状体２１と、４つの位置決め支柱２２と、２つの第１の環状リブ２３と、８つの第２の環状リブ２４と、４つの第３の環状リブ２５と、４つの支持リブ２６と、を備える。
【００３３】
環状体２１は、収容溝１１５と形状が一致しており、開口部２１１と、両側に位置決めされている第１の表面２１２及び第２の表面２１３と、第１の表面２１２及び第２の表面２１３を貫通している４つの貫通穴２１４と、を有する。開口部２１１は、パネル９の装着穴９１と同じ形状であり、嵌合部１１２が内部を通過することを可能にする実質的に四角形の断面を有する挿入開口部２１１ａと、挿入開口部２１１ａの上側及び下側からそれぞれ延在する２つのガイド開口部２１１ｂと、を有する。封止部材２を電気コネクタ１に組み立てるプロセスでは、封止部材２は、絶縁ハウジング１１のガイド開口部２１１ｂ及びガイド部１１３によって電気コネクタ１にガイドされ、電気コネクタ１と位置合わせされ得、これにより、組み立てが容易になり、組み立てたときに、第２の表面２１３が当接面１１１ａに面し、第１の表面２１２はパネル９に面する。貫通穴２１４は、パネル９の貫通穴９２及び基部１１１の締結穴１１１ｄに対して、前後方向Ｄ１に対応する。
【００３４】
図６及び図７を共に参照すると、位置決め支柱２２は、第２の表面２１３から突出し、２つの隣接する位置決め支柱２２が１対であり、２対の位置決め支柱２２は、環状体２１の２つの短辺にそれぞれ隣接し、位置決め支柱２２の各対は、２つの貫通穴２１４の間に位置決めされている。各位置決め支柱２２は、マッシュルーム形状（傘状キノコ形状）であり、拡大している自由端部２２１を有する。位置決め支柱２２は、基部１１１の位置決め穴１１１ｃの内部を通過するために使用され、それに対応して、位置決め穴１１１ｃによって制限される。具体的には、本実施形態では、位置決め支柱２２がそれぞれ位置決め穴１１１ｃを通過するとき、自由端部２２１が基部１１１の後面１１１ｂに当接し、そのため、封止部材２と絶縁ハウジング１１とが互いに対して固定される。次いで、締結具８は、貫通穴９２及び貫通穴２１４の中を順に通り、締結穴１１１ｄに挿入されて基部１１１に係止されるようになり、これにより、電気コネクタ１がパネル９に係止されるようになる。このため、封止部材２は、パネル９と絶縁ハウジング１１の当接面１１１ａとの間に緊密に締付けられ得る。本実施形態では、「に挿入する」とは、第１の物体が、第２の物体によって画定された穴に進入することを意味し、第１の物体が、第２の物体の内部を通過することはなく、このため、第１の物体の端が、第２の物体の外側に露出しないように、第２の物体に進入するようになることを意味するが、他の実施形態は、上記の定義に限定されない。加えて、位置決め支柱２２及び位置決め穴１１１ｃの数を一致させることができ、また、様々な実施形態では、各々が１つの個数で提供され、封止部材２と絶縁ハウジング１１とが互いに対して固定されるのと同じ効果を達成することができる。
【００３５】
２つの第１の環状リブ２３は、環状体２１の第１の表面２１２及び環状体２１の第２の表面２１３からそれぞれ突出し、その中で環状体２１の周囲に沿って開口部２１１を取り囲む。第１の表面２１２に位置決めされた第１の環状リブ２３は、パネル９に当接し、これは、装着穴９１を介して、第１の表面２１２とパネル９との間の間隙を通って電子装置内に水分が滲出することを防止する。第２の表面２１３に位置決めされた第１の環状リブ２３は、その中で位置決め支柱２２を取り囲み、基部１１１の当接面１１１ａに当接し、装着穴９１及び開口部２１１を介して第２の表面２１３と当接面１１１ａとの間の間隙を通って水分が電子装置内に滲出することを更に防止する。
【００３６】
第２の環状リブ２４は、環状体２１の第１の表面２１２及び第２の表面２１３からそれぞれ突出し、高さが第１の環状リブ２３と同じである。第２の環状リブ２４の全てにおいて、第１の表面２１２に位置決めされた４つの第２の環状リブ２４は、それぞれ貫通穴２１４を取り囲み、パネル９に当接するために使用され、第２の表面２１３に位置決めされた他の４つの第２の環状リブ２４は、貫通穴２１４をそれぞれ取り囲み、当接面１１１ａに当接するために使用される。
【００３７】
本実施形態では、貫通穴２１４は、環状体２１の四隅にそれぞれ位置決めされ、第１の表面２１２の第１の環状リブ２３及び第２の表面２１３の第１の環状リブ２３の両方がその中で貫通穴２１４を取り囲む。更に、第１の表面２１２に位置決めされている第２の環状リブ２４及び第１の環状リブ２３は、環状体２１の四隅に接続され、第２の表面２１３に位置決めされている第２の環状リブ２４及び第１の環状リブ２３は、環状体２１の四隅に接続され、これにより同じ表面に位置決めされたそれぞれの第２の環状リブ２４及び第１の環状リブ２３が、それらによって共有される部分を有する。当然のことながら、様々な実施形態では、第２の環状リブ２４は、同じ表面に位置決めされた第１の環状リブ２３から分離させて、離間させてもよい。第１の環状リブ２３は、その中で第２の環状リブ２４を取り囲み、これにより、貫通穴９２及び貫通穴２１４から電子装置への水分の滲出防止を更に高めることができる。
【００３８】
第３の環状リブ２５は、環状体２１の第２の表面２１３に提供され、位置決め支柱２２をそれぞれ取り囲む。位置決め支柱２２が位置決め穴１１１ｃの内部を通過して、位置決め穴１１１ｃに固定されると、第３の環状リブ２５は、基部１１１の当接面１１１ａに当接する。第３の環状リブ２５及び位置決め支柱２２の自由端部２２１は、位置決め穴１１１ｃを一緒に封止して、位置決め穴１１１ｃを介して電子装置内に水分が滲出することを防止するようにする。
【００３９】
支持リブ２６は、第１の表面２１２に提供され、第２の表面２１３の所定の位置に位置決めされている第３の環状リブ２５に対応する。支持リブ２６は、第１の環状リブ２３及び第２の環状リブ２４と同じ高さであり、これにより、パネル９に当接して、それぞれ、第３の環状リブ２５を補完的に支持することにより、当接面１１１ａに緊密に当接することができる第３の環状リブ２５を構成する。
【００４０】
図８及び図９を参照すると、本開示の電気接続装置１００の第２の実施形態は、２つの締結具８によって電子装置（図示せず）のパネル９に固定するように適合されている。第２の実施の形態は、第１の実施の形態と実質的に同じであり、第２の実施形態と第１の実施形態との唯一の差を以下に詳細に説明する。
【００４１】
図１０〜図１２を同様に参照すると、電気接続装置１００は、電気コネクタ１及び封止部材２を備える。電気コネクタ１は、絶縁ハウジング１１及び複数の端子１２を備える。この実施形態では、絶縁ハウジング１１の基部１１１は、楕円形である。絶縁ハウジング１１の締結穴１１１ｄの数を調整して、パネル９の貫通穴９２の数に対応する２個にする。基部１１１は、４つの穴壁１１１ｅを更に有し、これらは、位置決め穴１１１ｃをそれぞれ画定する（図１４を参照）。第１の実施形態の位置決め穴１１１ｃが当接面１１１ａ及び後面１１１ｂを貫通するのに対して、第２の実施形態の位置決め穴１１１ｃは、水分が位置決め穴１１１ｃを介して電子装置に滲出することができないように、後面１１１ｂを貫通しない止まり穴として設計されていることに特に留意されたい。複数の端子１２は、上下方向に２列に配置され、同様に、インサート成形技術によって絶縁ハウジング１１の基部１１１によって被覆される。
【００４２】
封止部材２は、環状体２１、４つの位置決め支柱２２、２つの第１の環状リブ２３、及び４つの第２の環状リブ２４を備える。環状体２１の開口部２１１は、嵌合部１１２が内部を通過することを可能にする挿入開口部２１１ａ、及び挿入開口部２１１ａの上側から延在するガイド開口部２１１ｂを有し、これにより、封止部材２が絶縁ハウジング１１に組み立てられる過程において、ガイド開口部２１１ｂ及びガイド部１１３によって絶縁ハウジング１１にガイドされ、絶縁ハウジング１１と位置合わせされ得るようになり、これにより組み立てが容易になる。加えて、環状体２１の貫通穴２１４の数は２に調整されるので、第２の環状リブ２４の数はそれに対応して４に調整される。第１の環状リブ２３及び第２の環状リブ２４は、機能が第１実施形態と同様であるので、ここには再度記載しない。
【００４３】
図１３及び図１４を同様に組み合わせて参照すると、各位置決め支柱２２は、拡大している自由端部２２１を有する。位置決め支柱２２が基部１１１の位置決め穴１１１ｃに挿入されるとき、位置決め支柱２２の自由端部２２１が絞られ、穴壁１１１ｅによってわずかに変形し、これにより、位置決め支柱２２が位置決め穴１１１ｃに緊密に装嵌され得、封止部材２及び電気コネクタ１が互いに対して固定される。加えて、第２の実施形態の位置決め穴１１１ｃは止まり穴であるため、位置決め穴１１１ｃから水分が滲出する心配をする必要がなく、このため、第１の実施形態のように（図６参照）、第３の環状リブ２５を有する第２の実施形態の封止部材２を設計する必要がなく、このため、開発及び製造のコストが節約されることに留意されたい。
【００４４】
結論として、本開示の電気接続装置１００では、第１の環状リブ２３は、周囲に沿って封止部材２の環状体２１の２つの反対の表面に形成されており、それに対応して、パネル９及び電気コネクタ１の当接面１１１ａに当接して、これにより、パネル９の装着穴９１を介して水分が電子装置内に滲出することを防止し、更に、第２の環状リブ２４は、環状体２１の貫通穴２１４を取り囲み、これにより、パネル９の貫通穴９２を介して電子装置に水分が滲出することを更に防止することができる。また、絶縁ハウジング１１の位置決め穴１１１ｃは、基部１１１を貫通する穴であり、封止部材２の位置決め支柱２２の周りの第３の環状リブ２５及び位置決め支柱２２の自由端部２２１が、互いに協働して位置決め穴１１１ｃを封止し、これにより、水分が電子装置に滲出することを防止することができる。したがって、本開示の目的を達成することができる。
【００４５】
しかしながら、上記のものは、本開示の範囲を限定することを意図していない本開示の実施形態にすぎず、特許請求の範囲に従って作製された任意の単純な等価な改変及び変形、並びに本開示の明細書もまた、本開示の範囲内に含まれる。
【図１】
2020113535.tif 000003
【図２】
2020113535.tif 000004
【図３】
2020113535.tif 000005
【図４】
2020113535.tif 000006
【図５】
2020113535.tif 000007
【図６】
2020113535.tif 000008
【図７】
2020113535.tif 000009
【図８】
2020113535.tif 000010
【図９】
2020113535.tif 000011
【図１０】
2020113535.tif 000012
【図１１】
2020113535.tif 000013
【図１２】
2020113535.tif 000014
【図１３】
2020113535.tif 000015
【図１４】
2020113535.tif 000016